【手続補正書】
【提出日】平成28年10月3日(2016.10.3)
【手続補正１】
【補正対象書類名】特許請求の範囲
【補正対象項目名】全文
【補正方法】変更
【補正の内容】
【特許請求の範囲】
【請求項１】
物体側から像側へ順に配置された、正の屈折力の第１レンズ群、負の屈折力の第２レンズ群、正の屈折力の第３レンズ群、正の屈折力の第４レンズ群より構成され、ズーミングに際して、隣り合うレンズ群の間隔が変化するように各レンズ群が移動するズームレンズにおいて、
前記第１レンズ群は物体側から像側へ順に配置された、負レンズ、正レンズ、正レンズからなり、
前記第２レンズ群は物体側から像側へ順に配置された、両凹形状の負レンズ、物体側に凸面を向けたメニスカス形状の正レンズからなり、前記両凹形状の負レンズの像側のレンズ面の曲率半径の絶対値は、物体側のレンズ面の曲率半径の絶対値より小さく、
前記第２レンズ群に配置された各レンズの材料のｄ線に対する屈折率の平均値をｎ２ａとするとき、
１．９０＜ｎ２ａ＜２．５０
なる条件式を満足することを特徴とするズームレンズ。
【請求項２】
前記第２レンズ群の焦点距離をｆ２、望遠端における全系の焦点距離をｆｔとするとき、
０．０１＜｜ｆ２｜／ｆｔ＜０．２０
なる条件式を満足することを特徴とする請求項１に記載のズームレンズ。
【請求項３】
前記第１レンズ群の焦点距離をｆ１、広角端における全系の焦点距離をｆｗとするとき、
４．００＜ｆ１／ｆｗ＜１５．００
なる条件式を満足することを特徴とする請求項１又は２に記載のズームレンズ。
【請求項４】
望遠端における全系の焦点距離をｆｔ、前記第１レンズ群の広角端における位置と、広角端から望遠端へのズーミングにおいて前記第１レンズ群が最も物体側に位置するときの位置との光軸上の距離をｍ１とするとき、
０．１０＜｜ｍ１｜／ｆｔ＜１．００
なる条件式を満足することを特徴とする請求項１乃至３のいずれか１項に記載のズームレンズ。
【請求項５】
望遠端における全系の焦点距離をｆｔ、望遠端におけるレンズ全長をＴＬとするとき、
０．５０＜ＴＬ／ｆｔ＜１．８０
なる条件式を満足することを特徴とする請求項１乃至４のいずれか１項に記載のズームレンズ。
【請求項６】
広角端における全系の焦点距離をｆｗ、前記第２レンズ群の最も物体側のレンズ面から最も像側のレンズ面までの光軸上の距離をＤ２とするとき、
０．５０＜Ｄ２／ｆｗ＜１．５０
なる条件式を満足することを特徴とする請求項１乃至５のいずれか１項に記載のズームレンズ。
【請求項７】
前記第２レンズ群の焦点距離をｆ２、前記第２レンズ群に配置された負レンズの焦点距離をｆ２１とするとき、
０．２０＜ｆ２１／ｆ２＜１．００
なる条件式を満足することを特徴とする請求項１乃至６のいずれか１項に記載のズームレンズ。
【請求項８】
前記第１レンズ群を構成する正レンズのうち、像側に配置された正レンズの焦点距離をｆ１３、前記第１レンズ群の焦点距離をｆ１するとき、
０．５０＜ｆ１３／ｆ１＜２．５０
なる条件式を満足することを特徴とする請求項１乃至７のいずれか１項に記載のズームレンズ。
【請求項９】
前記第２レンズ群に配置された負レンズの物体側のレンズ面の曲率半径をＲ２１、像側のレンズ面の曲率半径をＲ２２とするとき、
−１．００＜（Ｒ２２＋Ｒ２１）／（Ｒ２２−Ｒ２１）＜−０．２０
なる条件式を満足することを特徴とする請求項１乃至８のいずれか１項に記載のズームレンズ。
【請求項１０】
像ぶれ補正に際して、前記第３レンズ群は光軸に対して垂直方向の成分を持つ方向に移動することを特徴とする請求項１乃至９のいずれか１項に記載のズームレンズ。
【請求項１１】
請求項１乃至１０のいずれか１項に記載のズームレンズと、該ズームレンズによって形成された像を受光する撮像素子を有することを特徴とする撮像装置。
【手続補正２】
【補正対象書類名】明細書
【補正対象項目名】０００９
【補正方法】変更
【補正の内容】
【０００９】
本発明のズームレンズは、物体側から像側へ順に配置された、正の屈折力の第１レンズ群、負の屈折力の第２レンズ群、正の屈折力の第３レンズ群、正の屈折力の第４レンズ群より構成され、ズーミングに際して、隣り合うレンズ群の間隔が変化するように各レンズ群が移動するズームレンズにおいて、
前記第１レンズ群は物体側から像側へ順に配置された、負レンズ、正レンズ、正レンズからなり、
前記第２レンズ群は物体側から像側へ順に配置された、両凹形状の負レンズ、物体側に凸面を向けたメニスカス形状の正レンズからなり、前記両凹形状の負レンズの像側のレンズ面の曲率半径の絶対値は、物体側のレンズ面の曲率半径の絶対値より小さく、
前記第２レンズ群に配置された各レンズの材料のｄ線に対する屈折率の平均値をｎ２ａとするとき、
１．９０＜ｎ２ａ＜２．５０
なる条件式を満足することを特徴としている。
【手続補正３】
【補正対象書類名】明細書
【補正対象項目名】００１２
【補正方法】変更
【補正の内容】
【００１２】
以下に、本発明の好ましい実施の形態を、添付の図面に基づいて説明する。本発明のズームレンズは、物体側から像側へ順に配置された、正の屈折力の第１レンズ群、負の屈折力の第２レンズ群、正の屈折力の第３レンズ群、正の屈折力の第４レンズ群より構成されている。そしてズーミングに際して隣り合うレンズ群の間隔が変化するように各レンズ群が移動する。
【手続補正４】
【補正対象書類名】明細書
【補正対象項目名】００２４
【補正方法】変更
【補正の内容】
【００２４】
また、第１レンズ群を物体側から像側へ順に配置された、負レンズ、正レンズ、正レンズより構成することで第１レンズ群に必要十分な屈折力を持たせ、ズーミングにおける第１レンズ群の移動量を少なくし、望遠端におけるレンズ全長を短縮している。ここで第１レンズ群の焦点距離をｆ１、第２レンズ群の焦点距離をｆ２、第１レンズ群と第２レンズ群の主点間隔をｄ１２とする。このとき、第２レンズ群の倍率β２は
β２＝ｆ２／（ｆ１＋ｆ２−ｄ１２）
となる。
【手続補正５】
【補正対象書類名】明細書
【補正対象項目名】００２６
【補正方法】変更
【補正の内容】
【００２６】
そこで各実施例では、第１レンズ群を１つの負レンズと、２つの正レンズより構成し、第１レンズ群の正の屈折力を強く（大きく）したときの諸収差の増大を軽減している。また各実施例では、高ズーム比を確保しつつ全系の小型化を図るため、第２レンズ群を物体側から像側へ順に配置された、レンズ面の曲率半径の絶対値が物体側に比べ像面が小さい両凹形状の負レンズ、物体側に凸面を向けたメニスカス形状の正レンズより構成している。これにより第２レンズ群の厚さを薄くしている。また上記のようにレンズの形状を規定することにより、広角端において像面湾曲を良好に補正している。
【手続補正６】
【補正対象書類名】明細書
【補正対象項目名】００２８
【補正方法】変更
【補正の内容】
【００２８】
具体的には、各実施例のズームレンズにおいて、第１レンズ群Ｌ１は物体側から像側へ順に配置された、負レンズ、正レンズ、正レンズからなっている。第２レンズ群Ｌ２は物体側から像側に配置された、レンズ面の曲率半径の絶対値が物体側に比べ像側が小さい両凹形状の負レンズ、物体側が凸でメニスカス形状の正レンズからなっている。第２レンズ群Ｌ２に配置されたレンズの材料のｄ線に対する屈折率の平均値をｎ２ａとする。このとき、
１．９０＜ｎ２ａ＜２．５０      ・・・（１）
なる条件式を満足する。